(57)【要約】【課題】ユーザの印刷デバイスの利用状況を加味した上で、印刷デバイスのスリープ状態を制御することができる印刷デバイス、印刷システム、制御方法、及びプログラムを提供することを目的とする。【解決手段】印刷デバイス１０２は、印刷ジョブを受信すると、印刷ジョブに含まれるユーザに関する情報を用いて、既に実行した印刷ジョブの印刷ジョブ情報から、当該印刷ジョブの実行間隔を解析し、規則性が生じている場合であって、印刷デバイス１０２が、スリープ状態である場合、印刷デバイス１０２の起動スケジュールの設定をユーザ毎に行うことが可能である。【選択図】図７
2015085532.tif 000002
【特許請求の範囲】
【請求項１】
スリープ状態と起動状態と、を含む印刷デバイスの稼働状態を制御する印刷デバイスであって、
ユーザ毎の実行済みの印刷ジョブを示す印刷ジョブ情報を記憶する記憶手段と、
前記記憶手段に記憶した印刷ジョブの実行タイミングを解析する解析手段と、
前記解析手段によって解析した結果、前記ユーザ毎の印刷ジョブの実行タイミングに規則性が生じ得る場合、前記ユーザに対して、前記実行タイミングにおいて、前記印刷デバイスのスリープ状態を起動状態へ変更するか否かを表示選択させる第一の表示選択手段と、
前記第一の表示選択手段によって変更することが選択された場合、前記実行タイミングで、前記印刷デバイスを起動するよう起動スケジュールの設定を行う設定手段と、
を備えたことを特徴とする印刷デバイス。
【請求項２】
前記設定手段は、既に設定した起動スケジュールが存在する場合、前記起動スケジュールと異なる新たな起動スケジュールを設定する際に、前記起動スケジュールを削除する削除手段を備えたことを特徴とする請求項１に記載の印刷デバイス。
【請求項３】
前記設定手段によって、前記起動スケジュールと異なる新たな起動スケジュールを設定する際に、既に設定した起動スケジュールが存在する場合、前記既に設定した起動スケジュールを削除するか否かを表示選択させる第二の表示選択手段と、
前記削除手段は、前記第二の表示選択手段によって、前記前記既に設定した起動スケジュールを削除するとして選択された場合、前記前記既に設定した起動スケジュールを削除することを特徴とする請求項２に記載の印刷デバイス。
【請求項４】
前記第一の表示選択手段は、前記解析手段によって解析して得られた実行タイミングの規則性が、既に、印刷デバイスに設定されている起動スケジュールによって、前記印刷デバイスがスリープ状態である場合、前記印刷デバイスのスリープ状態を起動状態へ変更するか否かを表示選択させることを特徴とする請求項１に記載の印刷デバイス。
【請求項５】
前記解析手段は、前記ユーザの情報を含む印刷ジョブを受信した後、前記印刷ジョブの実行タイミングを解析することを特徴とする請求項１乃至４の何れか１項に記載の印刷デバイス。
【請求項６】
前記解析手段は、受信した印刷ジョブに含まれる前記ユーザの情報に該当する前記記憶手段に記憶された印刷ジョブ情報を用いて、印刷ジョブの実行タイミングを解析することを特徴とする請求項１乃至５の何れか１項に記載の印刷デバイス。
【請求項７】
前記解析手段によって、受信した印刷ジョブに含まれる前記ユーザの情報に該当する前記記憶手段に記憶された印刷ジョブ情報が存在しない場合は、前記起動スケジュールの登録を受付ける登録受付手段を備えたことを特徴とする請求項１乃至６の何れか１項に記載の印刷デバイス。
【請求項８】
前記第一の表示選択手段は、前記起動スケジュールの入力を受付け、前記設定手段は、前記第一の表示選択手段によって入力を受付けた起動スケジュールの設定を行うことを特徴とする請求項１乃至７の何れか１項に記載の印刷デバイス。
【請求項９】
ユーザが印刷指示を行うためのクライアント端末と、スリープ状態と起動状態と、を含む印刷デバイスの稼働状態を制御する印刷デバイスと、がネットワークを介して接続された印刷システムであって、
前記クライアント端末は、
前記印刷デバイスの解析手段によって解析した結果、前記ユーザ毎の印刷ジョブの実行タイミングに規則性が生じ得る場合、前記ユーザに対して、前記実行タイミングにおいて、前記印刷デバイスのスリープ状態を起動状態へ変更するか否かを表示選択させる第一の表示選択手段、
を備え、
前記印刷デバイスは、
ユーザ毎の実行済みの印刷ジョブを示す印刷ジョブ情報を記憶する記憶手段と、
前記記憶手段に記憶した印刷ジョブの実行タイミングを解析する解析手段と、
前記第一の表示選択手段によって変更することが選択された場合、前記実行タイミングで、前記印刷デバイスを起動するよう起動スケジュールの設定を行う設定手段と、
を備えたことを特徴とする印刷システム。
【請求項１０】
スリープ状態と起動状態と、を含む印刷デバイスの稼働状態を制御する印刷デバイスの制御方法であって、
前記印刷デバイスは、
ユーザ毎の実行済みの印刷ジョブを示す印刷ジョブ情報を記憶する記憶ステップと、
前記記憶ステップで記憶した印刷ジョブの実行タイミングを解析する解析ステップと、
前記解析ステップによって解析した結果、前記ユーザ毎の印刷ジョブの実行タイミングに規則性が生じ得る場合、前記ユーザに対して、前記実行タイミングにおいて、前記印刷デバイスのスリープ状態を起動状態へ変更するか否かを表示選択させる第一の表示選択ステップと、
前記第一の表示選択ステップによって変更することが選択された場合、前記実行タイミングで、前記印刷デバイスを起動するよう起動スケジュールの設定を行う設定ステップと、
を実行することを特徴とする印刷デバイスの制御方法。
【請求項１１】
スリープ状態と起動状態と、を含む印刷デバイスの稼働状態を制御する印刷デバイスで読取実行可能なプログラムあって、
前記印刷デバイスを、
ユーザ毎の実行済みの印刷ジョブを示す印刷ジョブ情報を記憶する記憶手段と、
前記記憶手段に記憶した印刷ジョブの実行タイミングを解析する解析手段と、
前記解析手段によって解析した結果、前記ユーザ毎の印刷ジョブの実行タイミングに規則性が生じ得る場合、前記ユーザに対して、前記実行タイミングにおいて、前記印刷デバイスのスリープ状態を起動状態へ変更するか否かを表示選択させる第一の表示選択手段と、
前記第一の表示選択手段によって変更することが選択された場合、前記実行タイミングで、前記印刷デバイスを起動するよう起動スケジュールの設定を行う設定手段と、
して機能させることを特徴とするプログラム。
【請求項１２】
ユーザが印刷指示を行うためのクライアント端末と、スリープ状態と起動状態と、を含む前記印刷デバイスの稼働状態を制御する印刷デバイスと、がネットワークを介して接続された印刷システムの制御方法であって、
前記クライアント端末は、
前記印刷デバイスの解析手段によって解析した結果、前記ユーザ毎の印刷ジョブの実行タイミングに規則性が生じ得る場合、前記ユーザに対して、前記実行タイミングにおいて、前記印刷デバイスのスリープ状態を起動状態へ変更するか否かを表示選択させる第一の表示選択手段、
を実行し、
前記印刷デバイスは、
ユーザ毎の実行済みの印刷ジョブを示す印刷ジョブ情報を記憶する記憶手段と、
前記記憶手段で記憶した印刷ジョブの実行タイミングを解析する解析手段と、
前記第一の表示選択手段によって変更することが選択された場合、前記実行タイミングで、前記印刷デバイスを起動するよう起動スケジュールの設定を行う設定手段と、
を実行することを特徴とする印刷システムの制御方法。
【請求項１３】
ユーザが印刷指示を行うためのクライアント端末と、スリープ状態と起動状態と、を含む印刷デバイスの稼働状態を制御する印刷デバイスと、がネットワークを介して接続された印刷システムにおいて読取実行可能なプログラムであって、
前記クライアント端末を、
前記印刷デバイスの解析手段によって解析した結果、前記ユーザ毎の印刷ジョブの実行タイミングに規則性が生じ得る場合、前記ユーザに対して、前記実行タイミングにおいて、前記印刷デバイスのスリープ状態を起動状態へ変更するか否かを表示選択させる第一の表示選択手段、
として機能させ、
前記印刷デバイスを、
ユーザ毎の実行済みの印刷ジョブを示す印刷ジョブ情報を記憶する記憶手段と、
前記記憶手段で記憶した印刷ジョブの実行タイミングを解析する解析手段と、
前記第一の表示選択手段によって変更することが選択された場合、前記実行タイミングで、前記印刷デバイスを起動するよう起動スケジュールの設定を行う設定手段と、
して機能させることを特徴とするプログラム。
【発明の詳細な説明】
【技術分野】
【０００１】
本発明は、スリープ状態の印刷デバイスの起動に関する。
【背景技術】
【０００２】
従来の印刷デバイスには、一定期間、印刷ジョブを受信しない場合は、節電モードに移行し、当該印刷ジョブを受信すると通常モードに移行して印刷を行うという機能を備えるものが多い。
【０００３】
このような印刷デバイスでは、各ユーザがそれぞれのタイミングで印刷を行うと、その度に印刷デバイスが通常モードへの復帰処理を行うため、実際に印刷物を手にするまで数分〜数十分間待たされることがあった。
【０００４】
これに対し、従来技術として、ユーザが印刷物を手にするまでの待ち時間を解消する対策が行なわれている。
【０００５】
例えば、印刷デバイスの遠隔監視システムにおいて、印刷デバイスの節電モード（スリープ状態）をシステム内で把握、制御することで、ユーザのスリープ復帰待ちを解消させることが提案されている（例えば、特許文献１）。
【先行技術文献】
【特許文献】
【０００６】
【特許文献１】特開２００８−１１８５３４
【発明の概要】
【発明が解決しようとする課題】
【０００７】
しかしながら、特許文献１に記載の遠隔監視システムにおいては、印刷デバイスの稼働状態を収集して、スリープ状態の制御を行っているが、ユーザの利用状況を加味した上で、制御を行っているところまで記載や示唆はない。
【０００８】
例えば、特定のユーザが、毎日決まった時間帯に印刷物を出力する、という場合に確実に、そのユーザが利用することを見越して、スリープ復帰待ちを解消できるものではない。
【０００９】
本発明では、上記の課題を解決するためになされたものであり、ユーザの印刷デバイスの利用状況を加味した上で、印刷デバイスのスリープ状態を制御することができる印刷デバイス、印刷システム、制御方法、及びプログラムを提供することを目的とする。
【課題を解決するための手段】
【００１０】
上記課題を解決するための第一の発明は、スリープ状態と起動状態と、を含む印刷デバイスの稼働状態を制御する印刷デバイスであって、ユーザ毎の実行済みの印刷ジョブを示す印刷ジョブ情報を記憶する記憶手段と、前記記憶手段に記憶した印刷ジョブの実行タイミングを解析する解析手段と、前記解析手段によって解析した結果、前記ユーザ毎の印刷ジョブの実行タイミングに規則性が生じ得る場合、前記ユーザに対して、前記実行タイミングにおいて、前記印刷デバイスのスリープ状態を起動状態へ変更するか否かを表示選択させる第一の表示選択手段と、前記第一の表示選択手段によって変更することが選択された場合、前記実行タイミングで、前記印刷デバイスを起動するよう起動スケジュールの設定を行う設定手段と、を備えたことを特徴とする。
【００１１】
上記課題を解決するための第二の発明は、ユーザが印刷指示を行うためのクライアント端末と、スリープ状態と起動状態と、を含む印刷デバイスの稼働状態を制御する印刷デバイスと、がネットワークを介して接続された印刷システムであって、前記クライアント端末は、前記印刷デバイスの解析手段によって解析した結果、前記ユーザ毎の印刷ジョブの実行タイミングに規則性が生じ得る場合、前記ユーザに対して、前記実行タイミングにおいて、前記印刷デバイスのスリープ状態を起動状態へ変更するか否かを表示選択させる第一の表示選択手段、を備え、前記印刷デバイスは、ユーザ毎の実行済みの印刷ジョブを示す印刷ジョブ情報を記憶する記憶手段と、前記記憶手段に記憶した印刷ジョブの実行タイミングを解析する解析手段と、前記第一の表示選択手段によって変更することが選択された場合、前記実行タイミングで、前記印刷デバイスを起動するよう起動スケジュールの設定を行う設定手段と、を備えたことを特徴とする。
【００１２】
上記課題を解決するための第三の発明は、スリープ状態と起動状態と、を含む印刷デバイスの稼働状態を制御する印刷デバイスの制御方法であって、前記印刷デバイスは、ユーザ毎の実行済みの印刷ジョブを示す印刷ジョブ情報を記憶する記憶ステップと、前記記憶ステップで記憶した印刷ジョブの実行タイミングを解析する解析ステップと、前記解析ステップによって解析した結果、前記ユーザ毎の印刷ジョブの実行タイミングに規則性が生じ得る場合、前記ユーザに対して、前記実行タイミングにおいて、前記印刷デバイスのスリープ状態を起動状態へ変更するか否かを表示選択させる第一の表示選択ステップと、前記第一の表示選択ステップによって変更することが選択された場合、前記実行タイミングで、前記印刷デバイスを起動するよう起動スケジュールの設定を行う設定ステップと、を実行することを特徴とする。
【００１３】
上記課題を解決するための第四の発明は、スリープ状態と起動状態と、を含む印刷デバイスの稼働状態を制御する印刷デバイスで読取実行可能なプログラムあって、前記印刷デバイスを、ユーザ毎の実行済みの印刷ジョブを示す印刷ジョブ情報を記憶する記憶手段と、前記記憶手段に記憶した印刷ジョブの実行タイミングを解析する解析手段と、前記解析手段によって解析した結果、前記ユーザ毎の印刷ジョブの実行タイミングに規則性が生じ得る場合、前記ユーザに対して、前記実行タイミングにおいて、前記印刷デバイスのスリープ状態を起動状態へ変更するか否かを表示選択させる第一の表示選択手段と、前記第一の表示選択手段によって変更することが選択された場合、前記実行タイミングで、前記印刷デバイスを起動するよう起動スケジュールの設定を行う設定手段と、して機能させることを特徴とする。
【００１４】
上記課題を解決するための第五の発明は、ユーザが印刷指示を行うためのクライアント端末と、スリープ状態と起動状態と、を含む印刷デバイスの稼働状態を制御する印刷デバイスと、がネットワークを介して接続された印刷システムの制御方法であって、前記クライアント端末は、前記印刷デバイスの解析手段によって解析した結果、前記ユーザ毎の印刷ジョブの実行タイミングに規則性が生じ得る場合、前記ユーザに対して、前記実行タイミングにおいて、前記印刷デバイスのスリープ状態を起動状態へ変更するか否かを表示選択させる第一の表示選択手段、を実行し、前記印刷デバイスは、ユーザ毎の実行済みの印刷ジョブを示す印刷ジョブ情報を記憶する記憶手段と、前記記憶手段で記憶した印刷ジョブの実行タイミングを解析する解析手段と、前記第一の表示選択手段によって変更することが選択された場合、前記実行タイミングで、前記印刷デバイスを起動するよう起動スケジュールの設定を行う設定手段と、を実行することを特徴とする印刷システムの制御方法。
【００１５】
上記課題を解決するための第六の発明は、ユーザが印刷指示を行うためのクライアント端末と、スリープ状態と起動状態と、を含む印刷デバイスの稼働状態を制御する印刷デバイスと、がネットワークを介して接続された印刷システムにおいて読取実行可能なプログラムであって、前記クライアント端末を、前記印刷デバイスの解析手段によって解析した結果、前記ユーザ毎の印刷ジョブの実行タイミングに規則性が生じ得る場合、前記ユーザに対して、前記実行タイミングにおいて、前記印刷デバイスのスリープ状態を起動状態へ変更するか否かを表示選択させる第一の表示選択手段、として機能させ、前記印刷デバイスを、ユーザ毎の実行済みの印刷ジョブを示す印刷ジョブ情報を記憶する記憶手段と、前記記憶手段で記憶した印刷ジョブの実行タイミングを解析する解析手段と、前記第一の表示選択手段によって変更することが選択された場合、前記実行タイミングで、前記印刷デバイスを起動するよう起動スケジュールの設定を行う設定手段と、して機能させることを特徴とする。
【発明の効果】
【００１６】
本発明では、各ユーザの印刷デバイスの利用時間帯において、スリープ状態である当該印刷デバイスを起動状態とすることで、ユーザの印刷デバイスの利用状況を加味した上で、印刷デバイスのスリープ状態を制御することができる、という効果を奏する。
【図面の簡単な説明】
【００１７】
【図１】本発明の実施形態に係る印刷システムの概略構成の一例を示す構成図である。
【図２】本発明の実施形態に係るクライアント端末に適用可能なハードウエアの概略構成を示す構成図である。
【図３】本発明の実施形態に係る印刷デバイスが有するコントローラユニットのハードウエアの概略構成の一例を示す構成図である。
【図４】本発明の実施形態に係るクライアント端末のプリンタドライバが作成する印刷ジョブの一例を示す模式図である。
【図５】本発明の実施形態に於いて、印刷ジョブ情報を記憶するためのジョブ情報データベースに関するデータ構造の一例を示す模式図である。
【図６】本発明の実施形態に於いて、スリープ起動スケジュール情報を記憶するためのスリープ復帰スケジュールデータベースに関するデータ構造の一例を示す模式図である。
【図７】本発明の実施形態に於いて、スリープ状態から起動状態へと復帰する処理を示すフローチャートである。
【図８】本発明の実施形態に於いて、スリープ復帰スケジュール設定確認画面の構成を示す構成図である。
【図９】本発明の実施形態に於いて、既存復帰スケジュール削除確認画面の構成を示す構成図である。
【図１０】本発明の実施形態に於いて、新規復帰スケジュール設定確認画面の構成を示す構成図である。
【図１１】本発明の実施形態に於いて、印刷デバイスの稼働状態を示すグラフ図である。
【発明を実施するための形態】
【００１８】
以下、図面を参照して、本発明の実施形態を詳細に説明する。
【００１９】
図１は、本発明の実施形態における印刷システムの構成を示す図である。
【００２０】
印刷システム１００は、印刷指示を行うためのクライアント端末１０１、及び印刷出力を行うための印刷デバイス１０２が、ＬＡＮ１０３を介して接続されている。
【００２１】
尚、図１のＬＡＮ１０３上に接続される各種端末や印刷デバイスの機器構成は一例であり、用途や目的に応じて様々な構成例があることは言うまでもなく、各機器で行われる処理等については、以降で詳述する。
【００２２】
図２は、本発明の実施形態に係るクライアント端末１０１に適用可能なハードウエアの概略構成を示す構成図である。
【００２３】
２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２４】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００２５】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器への表示を制御する。
【００２６】
なお、図２では、ＣＲＴ２１０と記載しているが、表示器はＣＲＴだけでなく、液晶ディスプレイ等の他の表示器であってもよい。これらは必要に応じて管理者が使用するものである。
【００２７】
２０７はメモリコントローラで、ブートプログラム、各種のアプリケーション、フォントデータ、ユーザファイル、編集ファイル、各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２８】
２０８は通信Ｉ／Ｆコントローラで、ネットワーク（例えば、図１に示したＬＡＮ１０４）を介して外部機器と接続・通信するものであり、ネットワークでの通信制御処理を実行する。例えば、ＴＣＰ／ＩＰを用いた通信等が可能である。
【００２９】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００３０】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル等も、外部メモリ２１１に格納されており、これらについての詳細な説明も後述する。
【００３１】
図３は、本発明の実施形態に係る印刷デバイス１０２が有するコントローラユニットのハードウエアの概略構成の一例を示す構成図である。
【００３２】
図３において、３１６はコントローラユニットで、画像入力デバイスとして機能するスキャナ部３１４や、画像出力デバイスとして機能するプリンタ部３１２と接続する一方、ＬＡＮ（例えば、図１に示したＬＡＮ１０３）や公衆回線（ＷＡＮ）（例えば、ＰＳＴＮまたはＩＳＤＮ等）と接続することで、画像データやデバイス情報の入出力を行う。
【００３３】
コントローラユニット３１６において、３０１はＣＰＵで、システム全体を制御するプロセッサである。３０２はＲＡＭで、ＣＰＵ３０１が動作するためのシステムワークメモリであり、プログラムを記録するためのプログラムメモリや、画像データを一時記録するための画像メモリでもある。
【００３４】
３０３はＲＯＭで、システムのブートプログラムや各種制御プログラムが格納されている。３０４はハードディスクドライブ（ＨＤＤ）で、システムを制御するための各種プログラム，画像データ等を格納する。
【００３５】
３０７は操作部インタフェース（操作部Ｉ／Ｆ）で、操作部（キーボード）３０８とのインタフェース部である。また、操作部Ｉ／Ｆ３０７は、操作部３０８から入力したキー情報（例えば、スタートボタンの押下）をＣＰＵ３０１に伝える役割をする。
【００３６】
３０５はネットワークインタフェース（Ｎｅｔｗｏｒｋ  Ｉ／Ｆ）で、ネットワーク（ＬＡＮ１０３）に接続する。また、無線通信も可能な構成となっており、赤外線やＢｌｕｅｔｏｏｔｈ（登録商標）、Ｗｉ-Ｆｉ（登録商標）を用いた通信にて他の装置と接続する。データの入出力を行う。３０６はモデム（ＭＯＤＥＭ）で、公衆回線に接続し、ＦＡＸの送受信等のデータの入出力を行う。
【００３７】
３１８は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、本実施形態においては認証で必要となる携帯端末のＩＣカード（記憶媒体）の読み取り用のカードリーダ３１９が外部Ｉ／Ｆ３１８に接続されている。
【００３８】
そして、ＣＰＵ３０１は、この外部Ｉ／Ｆ３１８を介してカードリーダ３１９による携帯端末のＩＣカードからの情報読み取りを制御し、該携帯端末のＩＣカードから読み取られた情報を取得可能である。以上のデバイスがシステムバス３０９上に配置される。
【００３９】
３２０はイメージバスインタフェース（ＩＭＡＧＥ  ＢＵＳ  Ｉ／Ｆ）であり、システムバス３０９と画像データを高速で転送する画像バス３１５とを接続し、データ構造を変換するバスブリッジである。
【００４０】
画像バス３１５は、ＰＣＩバスまたはＩＥＥＥ１３９４で構成される。画像バス３１５上には以下のデバイスが配置される。
【００４１】
３１０はラスタイメージプロセッサ（ＲＩＰ）で、例えば、ＰＤＬコード等のベクトルデータをビットマップイメージに展開する。３１１はプリンタインタフェース（プリンタＩ／Ｆ）で、プリンタ部３１２とコントローラユニット３１６を接続し、画像データの同期系／非同期系の変換を行う。
【００４２】
また、３１３はスキャナインタフェース（スキャナＩ／Ｆ）で、スキャナ部３１４とコントローラユニット３１６を接続し、画像データの同期系／非同期系の変換を行う。
【００４３】
３１７は画像処理部で、入力画像データに対し補正、加工、編集を行ったり、プリント出力画像データに対して、プリンタの補正、解像度変換等を行う。また、これに加えて、画像処理部３１７は、画像データの回転や、多値画像データに対してはＪＰＥＧ、２値画像データはＪＢＩＧ、ＭＭＲ、ＭＨ等の圧縮伸張処理を行う。
【００４４】
スキャナ部３１４は、原稿となる紙上の画像を照明し、ＣＣＤラインセンサで走査することで、ラスタイメージデータとして電気信号に変換する。原稿用紙は原稿フィーダのトレイにセットし、装置使用者が操作部３０８から読み取り起動指示することにより、ＣＰＵ３０１がスキャナ部３１４に指示を与え、フィーダは原稿用紙を１枚ずつフィードし原稿画像の読み取り動作を行う。
【００４５】
プリンタ部３１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ３０１からの指示によって開始する。なお、プリンタ部３１２には、異なる用紙サイズまたは異なる用紙向きを選択できるように複数の給紙段を持ち、それに対応した用紙カセットがある。
【００４６】
操作部３０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ３０７を介してＣＰＵ３０１に伝える。また、操作部３０８は、各種操作キーとして、例えば、スタートキー、ストップキー、ＩＤキー、リセットキー等を備える。
【００４７】
尚、表示部はプリンタによって表示性能が異なり、タッチパネルを介して操作をできるプリンタ、単に液晶画面を備え文字列を表示（印刷状態や印刷している文書名の表示）させるだけのプリンタによって本発明は構成されている。
【００４８】
ここで、操作部３０８のスタートキーは、原稿画像の読み取り動作を開始する時などに用いる。スタートキーの中央部には、緑と赤の２色ＬＥＤがあり、その色によってスタートキーが使える状態にあるかどうかを示す。
【００４９】
また、操作部３０８のストップキーは、稼働中の動作を止める働きをする。また、操作部３０８のＩＤキーは、使用者のユーザＩＤを入力する時に用いる。リセットキーは、操作部からの設定を初期化する時に用いる。
【００５０】
カードリーダ３１９は、ＣＰＵ３０１からの制御により、ＩＣカード（ＩＣチップとして携帯端末内に備えられていてもよい）に記憶されている情報を読み取り、該読み取った情報を外部Ｉ／Ｆ３１８を介してＣＰＵ３０１へ通知する。
【００５１】
また、カードリーダ３１９はＮＦＣの通信規格に対応しており、ＩＣカードや携帯端末のＩＣチップへの読み書きを行うことが可能な構成となっている。なお、ＮＦＣ規格対応のカードリーダに、ＮＦＣ規格対応の携帯端末をかざすと、認証を行い、携帯端末と印刷デバイスとのペアリングを行う。
【００５２】
そして、かざされた携帯端末と印刷デバイスで通信（Ｐ２Ｐ）を確立してデータの通信を行うことが可能である。その他、高速通信規格である、Ｂｌｕｅｔｏｏｔｈ（登録商標）やＷｉ-Ｆｉ（登録商標）に通信を引き継ぎ（ハンドオーバー）、携帯端末と印刷デバイス間で通信を行わせることも可能である。
【００５３】
例えば、携帯端末をカードリーダにかざすことで、携帯端末に記憶されている画像を印刷デバイスへ送信することが可能となる。なお、ＮＦＣの通信規格の詳細は、従来技術であるため、説明を省略するものとする。
【００５４】
上述した印刷デバイス１０２では、印刷デバイス１０２を制御するためのプラットフォームが存在し、このプラットフォーム上で、認証サーバと通信するための認証アプリケーションが動作している。
【００５５】
認証アプリケーションはＨＤＤ３０４に記憶されている。プラットフォームが管理する、ログイン時にユーザ情報を格納するログインコンテキストや、各種設定情報は、ＨＤＤ３０４上に領域が確保されている。
【００５６】
また、プラットフォーム上には、印刷デバイス１０２の本体機能を拡張したアプリケーションがインストールされ、動作している。これらアプリケーションは、プラットフォームのＡＰＩを用いて実行される。
【００５７】
このプラットフォームを介して、印刷デバイス１０２の各機能を制御することが可能な構成となっている。
【００５８】
また、印刷デバイス１０２には、Ｗｅｂブラウザも記憶されており、Ｗｅｂシステムと連携することも可能である。この場合、Ｗｅｂアプリケーションサーバ（不図示）から受信した画面をＷｅｂブラウザを用いて表示する。
【００５９】
Ｗｅｂブラウザ上で指示した命令は、Ｗｅｂアプリケーションサーバへ要求がなされ、Ｗｅｂアプリケーションサーバからの命令を受け付けることによって、印刷デバイス１０２により動作（スキャンやプリント処理）を実行することが可能である。
【００６０】
以上のような構成によって、印刷デバイス１０２は、スキャナ部３１４から読み込んだ画像データをＬＡＮ１０３上に送信したり、ＬＡＮ１０３から受信した印刷データをプリンタ部３１２により印刷出力することができる。
【００６１】
また、スキャナ部３１４から読み込んだ画像データをモデム３０６により、公衆回線上にＦＡＸ送信したり、公衆回線からＦＡＸ受信した画像データをプリンタ部３１２により出力することできる。
【００６２】
図４は、クライアント端末１０１のプリンタドライバで作成された印刷ジョブに基づく、一般的な印刷ジョブのデータ構造の一例を示す構成図である。
【００６３】
印刷ジョブは、印刷ジョブの名称を示す印刷ジョブ名、当該印刷ジョブの実行を指示したユーザの名称を示すジョブ実行ユーザ名、当該印刷ジョブが印刷デバイス１０２で実行されたタイミング（日時）を示すジョブ実行日時、１ｉｎ１や２ｉｎ１等の印刷形式を示すページレイアウト、片面印刷や両面印刷等の印刷出力方法を示す印刷方法、カラー印刷やモノクロ印刷等のカラーモード等の情報を備えている。
【００６４】
図５は、本発明の実施形態に係る印刷デバイス１０２のＨＤＤ３０４に備えられた、実行済みの印刷ジョブの情報（以下、印刷ジョブ情報）を記憶するためのジョブ情報データベースの一例を示す構成図である。
【００６５】
ジョブ情報データベースは、印刷ジョブ名、ジョブ実行ユーザ名、ジョブ実行日時、ページレイアウト、印刷方法、及びカラーモードを備えており、これらの項目は、前述した、図４に示す印刷ジョブを構成する項目と同じ項目を備えるため、説明は省略する。
【００６６】
図６は、本発明の実施形態に係る印刷デバイスのＨＤＤ３０４に備えられた、ユーザ毎の印刷デバイス１０２のスリープ状態から起動状態へと復帰する（スリープ復帰）スケジュールを記憶したスリープ復帰スケジュールデータベースの一例を示す構成図である。
【００６７】
スリープ復帰スケジュールデータベースは、印刷デバイス１０２のスリープ復帰するタイミングとして、例えば、日次、曜日、月次等でスケジュールを指定することが可能であるため、このような情報を記憶するためのスケジュールタイプを備えている。
【００６８】
また、スリープ復帰スケジュールデータベースは、スケジュールタイプに応じる復帰する日として、例えば、スケジュールタイプが日次である時は、ブランク、スケジュールタイプが曜日である時は、月、火、水、金等の曜日、スケジュールタイプが月次である時は、月初営業日等の情報を記憶するための実行日を備え、更に、当該実行日における復帰する時刻を備えている。
【００６９】
更に、スリープ復帰スケジュールデータベースは、前述のスケジュールタイプ、実効日、及び時刻からならスリープ起動スケジュール情報が、何れのユーザに対する情報であるかを特定するためのユーザ名を備えている。
【００７０】
次に、図７に示すフローチャートを用いて、スリープ復帰に関する処理を説明する。本処理における各ステップは、印刷デバイス１０２のＣＰＵ３０１の制御下の元に制御され実行される。
【００７１】
ステップＳ１００では、図４に示す印刷ジョブ（ジョブ実行日時を除く）を受信し、ステップＳ１０１では、スリープ復帰スケジュールデータベースから、ステップＳ１００で受信した印刷ジョブのジョブ実行ユーザ名を有するスリープ起動スケジュール情報を取得する。
【００７２】
ステップＳ１０２では、ステップＳ１０１において、スリープ復帰スケジュールデータベースにレコードの保存数が０か否か、つまり、スリープ起動スケジュール情報が存在するか否かを判定し、存在すると判定しない場合、ステップＳ１０３へ処理を進め、存在すると判定した場合、ステップＳ１０４へ処理を進める。
【００７３】
ステップＳ１０３では、ステップＳ１００で受信した印刷ジョブのジョブ実行ユーザ名から特定されるユーザにとって、スリープ復帰した以後であるか否かを判定し、以後であると判定した場合、ステップＳ１１９へ処理を進め、以後であると判定しない場合、ステップＳ１０４へ処理を進める。
【００７４】
この判定は、現在の時刻（システム日付等）が、スリープ起動スケジュール情報に含まれる実行日及び時刻以後であるか否かによって判定し、以後であると判定した場合、ステップＳ１１９へ処理を進め、以後であると判定しない場合、ステップＳ１０４へ処理を進める。
【００７５】
ステップＳ１０４では、ジョブ情報データベースから、ステップＳ１００で受信した印刷ジョブのジョブ実行ユーザ名を有する印刷ジョブ情報を取得する。
【００７６】
ステップＳ１０５では、ステップＳ１０４において、ジョブ情報データベースにレコードの保存数が０か否か、つまり、印刷ジョブ情報が存在するか否かを判定し、存在すると判定する場合、ステップＳ１０６へ処理を進め、存在すると判定しない場合、ステップＳ１１９へ処理を進める。
【００７７】
ステップＳ１０６では、ステップＳ１０４において取得した印刷ジョブ情報に含まれるジョブ実行日時で当該印刷ジョブ情報をソートし、ステップＳ１０７では、ジョブ実行日時の規則性を解析する。
【００７８】
尚、規則性の例としては、毎日、早朝６時頃等の日次、毎週の特定曜日等の週次、月初営業日や月末営業日などの月次等、印刷ジョブを実行する目的に応じて様々な規則性があることは言うまでもない。
【００７９】
規則性に関して具体的に述べると、ユーザＡについては、印刷ジョブ情報を参酌すると、凡そ、毎日８時頃に印刷ジョブを実行していることが伺え、更に、ユーザＣについては、印刷ジョブ情報を参酌すると、凡そ、毎日６時頃に印刷ジョブを実行していることが伺え、両ユーザは、日次で処理を行う、といった規則性を具備している。
【００８０】
ステップＳ１０９では、印刷デバイス１０２は、図８に示すスリープ起動スケジュール設定確認画面４００を操作部３０８へ表示する。
【００８１】
スリープ起動スケジュール設定確認画面４００は、ユーザに応じて、印刷デバイス１０２をスリープ復帰に関する処理を実行するためのスケジュール（以下、復帰スケジュール）を設定するか否か（スリープ状態を起動状態へ変更するか否か）を確認するための画面であり、ステップＳ１０７において、ユーザの印刷ジョブ実行間隔の規則性を解析して得られた結果に基づいて、ユーザに対して適当な復帰スケジュールを提示するものである。
【００８２】
スリープ起動スケジュール設定確認画面４００は、提示された復帰スケジュールを参照して、スケジュール設定を行う際にＹＥＳボタン４０１を押下し、行わない場合、ＮＯボタン４０２を押下する。
【００８３】
ステップＳ１１０では、スリープ起動スケジュール設定確認画面４００のＹＥＳボタン４０１が押下されたか否かを判定し、押下されたと判定した場合、ステップＳ１１１へ処理を進め、押下されたと判定した場合、ステップＳ１１３へ処理を進める。
【００８４】
ステップＳ１１１では、スケジューラへ復帰スケジュールに関する情報を登録する。尚、本発明の実施形態では、スリープ状態から起動状態へ印刷デバイス１０２を変遷させる処理については、基本的に、印刷デバイス１０２に別途設けられたスケジューラによって実行する。
【００８５】
また、復帰スケジュールについては、単に印刷ジョブの実行間隔を加味するに留まらず、起動時刻を加味することも、本ステップで対応することも可能である。例えば、実行間隔を６時から６時１０分として解析した場合、起動時間を６時５分前として、５時５５分としても良い。これによって、スリープ復帰に係る処理時間を考慮することも可能である。
【００８６】
ステップＳ１１２では、ステップＳ１０８において規則性を有する復帰スケジュールを編集し、スリープ起動スケジュール情報として、スリープ復帰スケジュールデータベースに登録する。
【００８７】
ステップＳ１１３では、ステップＳ１１２において復帰スケジュールを登録したユーザが、既に復帰スケジュールを登録している場合、この既存の復帰スケジュールと、今回、ステップＳ１１２において登録した復帰スケジュールと、の規則性に変化があったか否かを検証する。
【００８８】
ここでは、復帰スケジュールに関しては、スリープ起動スケジュール情報を用いて規則性の変化を検証する。
【００８９】
ステップＳ１１４では、ステップＳ１１３において規則性が変化したと判定した場合、ステップＳ１１５へ処理を進め、規則性が変化したと判定しない場合、ステップＳ１１９へ処理を進める。
【００９０】
ステップＳ１１５では、既存の復帰スケジュールを削除するか否かを確認するための既存復帰スケジュール削除確認画面５００（図９参照）を操作部３０８へ表示する。
【００９１】
既存復帰スケジュール削除確認画面５００は、既に登録していた復帰スケジュールに関する情報を、スリープ復帰スケジュールデータベースへ記憶したスリープ起動スケジュール情報を用いて表示する。
【００９２】
そして、既存復帰スケジュール削除確認画面５００は、提示された既存の復帰スケジュールを参照して、復帰スケジュールの削除を行う際にＹＥＳボタン５０１を押下し、行わない場合、ＮＯボタン５０２を押下する。
【００９３】
ステップＳ１１６では、既存復帰スケジュール削除確認画面５００のＹＥＳボタン５０１が押下されたか否かを判定し、押下されたと判定した場合、ステップＳ１１７へ処理を進め、押下されたと判定しない場合、ステップＳ１１９へ処理を進める。
【００９４】
ステップＳ１１７では、前述したスケジューラから既存の復帰スケジュールに関する情報を削除する。
【００９５】
ステップＳ１１８では、ステップＳ１１５において表示したスリープ復帰スケジュールデータベースからスリープ起動スケジュール情報を削除する。
【００９６】
ステップＳ１１９では、ステップＳ１００で受信した印刷ジョブを実行し、ステップＳ１２０では、実行した印刷ジョブの印刷ジョブ情報をジョブ情報データベースへ記憶する。
【００９７】
ステップＳ１０９では、スリープ起動スケジュール設定確認画面４００を用いて、復帰スケジュールの設定を行うか否かの確認を行うに留まっているが、曜日や時間等の復帰スケジュールは、スリープ起動スケジュール設定確認画面４００によって、ユーザが修正することも可能であり、修正した結果を復帰スケジュールとして設定することも可能である。
【００９８】
本実施形態では、ステップＳ１０５において、印刷ジョブ情報が存在しない場合、ステップＳ１１９において印刷ジョブを実行する態様を示したが、印刷ジョブ情報が存在しなくとも、図１０に示すように、新規で復帰スケジュールを登録するための新規スリープ復帰スケジュール設定確認画面６００を用いた態様をとることも可能である。
【００９９】
新規スリープ復帰スケジュール設定確認画面６００は、復帰スケジュールを登録する場合にチェックを入力するための設定チェック欄６０１、スケジュールタイプを選択するための選択欄６０２を備えており、選択欄６０２において選択したスケジュールタイプが月次であれば、その実行日となる日付を入力することが可能となるような指定日欄６０３が備えられ、スケジュールタイプが、曜日であれば、曜日選択欄６０４の各曜日が選択可能となり、選択したスケジュールタイプが日次であれば、指定日欄６０３及び曜日選択欄６０４をグレイアウトする。
【０１００】
新規スリープ復帰スケジュール設定確認画面６００は、スケジュールタイプによらず、スリープ復帰する時間を入力するための時間欄６０５を備えている。
【０１０１】
図１１には、印刷デバイス１０２における月初営業日の稼働状態を示すグラフ図が示されている。このグラフ図は、Ｘ軸が時刻を示しており、Ｙ軸が可能しているか否かを示しており、更に、「稼働」が、印刷デバイス１０２が起動状態であることを示し、「Ｓｌｅｅｐ」が、印刷デバイス１０２がスリープ状態であることを示している。
【０１０２】
図１１の上段は、ユーザＣの復帰スケジュールを新たに追加する前の稼働状態を示すグラフ図であり、初期起動時が、６時であることを示している。
【０１０３】
通常、この稼働状態を基に、印刷デバイス１０２のスケジューラは、スリープ状態に変遷したり、あるいはスリープ状態から起動状態に変遷したりするように、印刷デバイス１０２の状態制御を行っている。
【０１０４】
その後、ユーザＣが、印刷指示を行う時間帯として、ジョブ情報データベースの印刷ジョブ情報から示されるように、初期起動時の６時直後に、印刷指示を行う時間帯が集中している。
【０１０５】
この場合、ユーザＣは、印刷デバイス１０２が、スリープ状態から起動状態に変遷するまで、印刷指示を行うことを待機しており、印刷デバイス１０２が起動状態となったことを見計らって、印刷指示を行っているようなケースが想定される。
【０１０６】
従って、本願発明では、ユーザＣが印刷指示を行う時間を考慮して、既に設定されている起動時間を早めに設定し直すことが可能となる。
【０１０７】
例えば、図１１の下段に示すように、初期起動時が６時であったものを、ユーザＣの印刷指示を行う時間帯を考慮して、初期起動時を５時５５分に設定することが可能となる。
【０１０８】
また、ステップＳ１０９では、スリープ起動スケジュール設定確認画面４００を表示した上で、復帰スケジュールの登録を行っているが、スケジューラにおける稼働状態において、スリープ復帰する時刻が、登録を行おうとしている復帰スケジュールにおけるスリープ復帰する時刻よりも所定時間以内であれば、スリープ起動スケジュール設定確認画面４００を表示せずに自動登録し、所定時間以上であれば、スリープ起動スケジュール設定確認画面４００を表示した後、登録する態様をとることも可能である。
【０１０９】
この場合、ステップＳ１０９の処理の１つ前のステップにおいて、スケジューラにおける稼働状態において、スリープ復帰する時刻が、登録を行おうとしている復帰スケジュールにおけるスリープ復帰する時刻よりも所定時間以内であれば、ステップＳ１０９及びステップＳ１１０の処理を行わずに、ステップＳ１１１へ処理を進め、一方、所定時間以上であれば、ステップＳ１０９における処理を行う。
【０１１０】
これによって、印刷デバイス１０２の無駄な電力を使わないような対応をとることが可能となる。
【０１１１】
以上、本発明の実施形態に依れば、各ユーザの印刷デバイスの利用時間帯において、スリープ状態である当該印刷デバイスを起動状態とすることで、ユーザの印刷デバイスの利用状況を加味した上で、印刷デバイスのスリープ状態を制御することができる。
【０１１２】
また、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０１１３】
クライアント端末１０１から印刷ジョブの実行指示を行った以後は、印刷デバイス１０２において実行される形態を説明したが、ステップＳ１０９、ステップＳ１１５における画面については、クライアント端末１０１のＣＲＴ２１０へ表示して、ユーザからの入力指示を受付ける態様でも良い。
【０１１４】
また、本発明におけるプログラムは、各処理方法をコンピュータが実行可能（読み取り可能）なプログラムであり、本発明の記憶媒体は、各処理方法をコンピュータが実行可能なプログラムが記憶されている。
【０１１５】
なお、本発明におけるプログラムは、各装置の処理方法ごとのプログラムであってもよい。
【０１１６】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読取り実行することによっても、本発明の目的が達成されることは言うまでもない。
【０１１７】
この場合、記録媒体から読み出されたプログラム自体が本発明の新規な機能を実現することになり、そのプログラムを記憶した記録媒体は本発明を構成することになる。
【０１１８】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることができる。
【０１１９】
また、コンピュータが読み出したプログラムを実行することにより、前述した実施形態の機能が実現されるだけでなく、そのプログラムの指示に基づき、コンピュータで稼働しているＯＳ等が実際の処理の一部または全部を行い、その処理によって前述した実施形態の機能が実現される場合も含まれることは言うまでもない。
【０１２０】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１２１】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。
【０１２２】
この場合、本発明を達成するためのプログラムを格納した記録媒体を該システムあるいは装置に読み出すことによって、そのシステムあるいは装置が、本発明の効果を享受することが可能となる。
【０１２３】
さらに、本発明を達成するためのプログラムをネットワーク上のサーバ、データベース等から通信プログラムによりダウンロードして読み出すことによって、そのシステム、あるいは装置が、本発明の効果を享受することが可能となる。なお、上述した各実施形態およびその変形例を組み合わせた構成も全て本発明に含まれるものである。
【符号の説明】
【０１２４】
１００    印刷システム
１０１    クライアント端末
１０２    印刷デバイス
１０３    ＬＡＮ
２０１    ＣＰＵ
２０２    ＲＯＭ
２０３    ＲＡＭ
２０４    システムバス
２０５    入力コントローラ
２０６    ビデオコントローラ
２０７    メモリコントローラ
２０８    通信Ｉ／Ｆコントローラ
２０９    ＫＢ
２１０    ＣＲＴ
２１１    外部メモリ（ＨＤ／ＦＤ）
３０１    ＣＰＵ
３０２    ＲＡＭ
３０３    ＲＯＭ
３０４    ＨＤＤ（ハードディスクドライブ）
３０５    ＮｅｔＷｏｒｋ  Ｉ／Ｆ（ネットワークインタフェース）
３０６    ＭＯＤＥＭ（モデム）
３０７    操作部  Ｉ／Ｆ（インタフェース）
３０８    操作部
３０９    システムバス
３１０    ＲＩＰ（ラスタイメージプロセッサ）
３１１    プリンタ  Ｉ／Ｆ（プリンタインタフェース）
３１２    プリンタ部
３１３    スキャナ  Ｉ／Ｆ（インタフェース）
３１４    スキャナ部
３１５    画像バス
３１６    コントローラユニット
３１７    画像処理部
３１８    外部  Ｉ／Ｆ（インタフェース）
３１９    カードリーダ
３２０    ＩＭＡＧＥ  ＢＵＳ  Ｉ／Ｆ（イメージバスインタフェース）
【図１】
2015085532.tif 000003
【図２】
2015085532.tif 000004
【図３】
2015085532.tif 000005
【図４】
2015085532.tif 000006
【図５】
2015085532.tif 000007
【図６】
2015085532.tif 000008
【図７】
2015085532.tif 000009
【図８】
2015085532.tif 000010
【図９】
2015085532.tif 000011
【図１０】
2015085532.tif 000012
【図１１】
2015085532.tif 000013